(57)【要約】【課題】入力映像信号の有無に関わらず安定的に符号化データを出力するビデオエンコーダ装置を提供する。【解決手段】符号化データ出力手段（たとえば、信号切替え部２４、信号切替え部２８及び信号切替え制御部３０）により、映像信号ｖｆがあるとき、映像符号化部２２から出力される映像符号化データｖｄが選択される一方、同映像信号ｖｆがないとき、映像ダミー信号発生部２３から発生した映像ダミーデータｖｎが選択されて映像符号化出力データｖｅとして出力される。また、映像信号ｖｆがあるとき、音声符号化部２６から出力される音声符号化データａｄが選択される一方、同映像信号ｖｆがないとき、音声ダミー信号発生部２７から発生した音声ダミーデータａｎが選択されて音声符号化出力データａｅとして出力される。【選択図】図１
2010233119.tif 000002
【特許請求の範囲】
【請求項１】
入力映像信号を所定の映像符号化モードに基づいて符号化して映像符号化データを出力する映像符号化手段を有するビデオエンコーダ装置であって、
映像ダミーデータ発生手段と、
前記入力映像信号があるとき、前記映像符号化手段から出力される前記映像符号化データを選択する一方、前記入力映像信号がないとき、前記映像ダミーデータ発生手段から発生した映像ダミーデータを選択して映像符号化出力データとして出力する符号化データ出力手段とが設けられていることを特徴とするビデオエンコーダ装置。
【請求項２】
入力音声信号を所定の音声符号化モードに基づいて符号化して音声符号化データを出力する音声符号化手段と、
音声ダミーデータ発生手段とが設けられ、
前記符号化データ出力手段は、
前記入力映像信号があるとき、前記音声符号化手段から出力される前記音声符号化データを選択する一方、前記入力映像信号がないとき、前記音声ダミーデータ発生手段から発生した音声ダミーデータを選択して音声符号化出力データとして出力する構成とされていることを特徴とする請求項１記載のビデオエンコーダ装置。
【請求項３】
前記符号化データ出力手段は、
前記入力映像信号があるとき、アクティブモードの映像符号化データ切替え信号を出力する一方、前記入力映像信号がないとき、ノンアクティブモードの映像符号化データ切替え信号を出力する信号切替え制御手段と、
前記映像符号化データ切替え信号がアクティブモードのとき、前記映像符号化データを選択する一方、ノンアクティブモードのとき、前記映像ダミーデータを選択する映像信号選択手段とから構成されていることを特徴とする請求項１記載のビデオエンコーダ装置。
【請求項４】
前記信号切替え制御手段は、
前記入力映像信号があるとき、アクティブモードの音声符号化データ切替え信号を出力する一方、前記入力映像信号がないとき、ノンアクティブモードの音声符号化データ切替え信号を出力する構成とされ、
前記音声符号化データ切替え信号がアクティブモードのとき、前記音声符号化データを選択する一方、前記映像符号化データ切替え信号がノンアクティブモードのとき、前記音声ダミーデータを選択する音声信号選択手段が設けられていることを特徴とする請求項３記載のビデオエンコーダ装置。
【請求項５】
前記入力映像信号から映像信号及び映像信号クロックを抽出する映像入力部と、
与えられた入力同期信号に基づいて、前記入力映像信号の各フレームに対応したリファレンスフレーム同期信号を発生するリファレンス信号同期分離部とを備え、
前記信号切替え制御手段は、
前記映像入力部で抽出された前記映像信号及び映像信号クロックに基づいて、入力映像フレーム同期信号を分離すると共に、設定されている映像フォーマットに前記映像信号が一致するか否かを検出することにより、映像信号有無フラグを出力する映像同期フォーマット検出部と、
前記映像信号有無フラグが映像信号有りを示すとき、前記リファレンスフレーム同期信号をフレーム同期信号として出力する一方、前記映像信号有無フラグが映像信号無しを示すとき、入力映像フレーム同期信号を前記フレーム同期信号として出力する同期信号切替え部と、
該同期信号切替え部から出力される前記フレーム同期信号に基づいて、前記映像信号有無フラグを、設定されているフレーム期間経過後に前記映像符号化データ切替え信号として出力する映像符号化遅延部とを備えてなることを特徴とする請求項３記載のビデオエンコーダ装置。
【請求項６】
前記信号切替え制御手段は、
前記同期信号切替え部から出力される前記フレーム同期信号に基づいて、前記映像信号有無フラグを、設定されているフレーム期間経過後に前記音声符号化データ切替え信号として出力する音声符号化遅延部が設けられていることを特徴とする請求項５記載のビデオエンコーダ装置。
【請求項７】
前記映像信号選択手段は、
前記映像符号化手段から出力される前記映像符号化データの１フレーム分の符号化データの終点を検出し、かつ、前記映像符号化データ切替え信号がノンアクティブモードになったとき、前記映像ダミーデータを選択する構成とされていることを特徴とする請求項３記載のビデオエンコーダ装置。
【請求項８】
入力映像信号を所定の映像符号化モードに基づいて符号化して映像符号化データを出力する映像符号化手段を有するビデオエンコーダ装置に用いられる符号化データ出力方法であって、
映像ダミーデータ発生手段を設けておき、
符号化データ出力手段が、前記入力映像信号があるとき、前記映像符号化手段から出力される前記映像符号化データを選択する一方、前記入力映像信号がないとき、前記映像ダミーデータ発生手段から発生した映像ダミーデータを選択して映像符号化出力データとして出力することを特徴とする符号化データ出力方法。
【請求項９】
入力音声信号を所定の音声符号化モードに基づいて符号化して音声符号化データを出力する音声符号化手段と、
音声ダミーデータ発生手段とを設けておき、
前記符号化データ出力手段が、前記入力映像信号があるとき、前記音声符号化手段から出力される前記音声符号化データを選択する一方、前記入力映像信号がないとき、前記音声ダミーデータ発生手段から発生した音声ダミーデータを選択して音声符号化出力データとして出力することを特徴とする請求項８記載の符号化データ出力方法。
【請求項１０】
前記符号化データ出力手段を、信号切替え制御手段と、映像信号選択手段とから構成しておき、
前記信号切替え制御手段が、前記入力映像信号があるとき、アクティブモードの映像符号化データ切替え信号を出力する一方、前記入力映像信号がないとき、ノンアクティブモードの映像符号化データ切替え信号を出力し、
前記映像信号選択手段が、前記映像符号化データ切替え信号がアクティブモードのとき、前記映像符号化データを選択する一方、前記映像符号化データ切替え信号がノンアクティブモードのとき、前記映像ダミーデータを選択することを特徴とする請求項８記載の符号化データ出力方法。
【請求項１１】
前記信号切替え制御手段が、前記入力映像信号があるとき、アクティブモードの音声符号化データ切替え信号を出力する一方、前記入力映像信号がないとき、ノンアクティブモードの音声符号化データ切替え信号を出力し、
音声信号選択手段が、前記音声符号化データ切替え信号がアクティブモードのとき、前記音声符号化データを選択する一方、前記映像符号化データ切替え信号がノンアクティブモードのとき、前記音声ダミーデータを選択することを特徴とする請求項１０記載の符号化データ出力方法。
【請求項１２】
前記入力映像信号から映像信号及び映像信号クロックを抽出する映像入力部と、
与えられた入力同期信号に基づいて、前記入力映像信号の各フレームに対応したリファレンスフレーム同期信号を発生するリファレンス信号同期分離部とを設けておき、
前記信号切替え制御手段では、
映像同期フォーマット検出部が、前記映像入力部で抽出された前記映像信号及び映像信号クロックに基づいて、入力映像フレーム同期信号を分離すると共に、設定されている映像フォーマットに前記映像信号が一致するか否かを検出することにより、映像信号有無フラグを出力する映像信号有無フラグ出力処理と、
同期信号切替え部が、前記映像信号有無フラグが映像信号有りを示すとき、前記リファレンスフレーム同期信号をフレーム同期信号として出力する一方、前記映像信号有無フラグが映像信号無しを示すとき、入力映像フレーム同期信号を前記フレーム同期信号として出力する同期信号切替え処理と、
映像符号化遅延部が、前記同期信号切替え部から出力される前記フレーム同期信号に基づいて、前記映像信号有無フラグを、設定されているフレーム期間経過後に前記映像符号化データ切替え信号として出力する映像符号化データ切替え信号出力処理とを行うことを特徴とする請求項１０記載の符号化データ出力方法。
【請求項１３】
前記信号切替え制御手段では、
音声符号化遅延部が、前記同期信号切替え部から出力される前記フレーム同期信号に基づいて、前記映像信号有無フラグを、設定されているフレーム期間経過後に前記音声符号化データ切替え信号として出力する音声符号化データ切替え信号出力処理を行うことを特徴とする請求項１２記載の符号化データ出力方法。
【請求項１４】
前記映像信号選択手段が、前記映像符号化手段から出力される前記映像符号化データの１フレーム分の符号化データの終点を検出し、かつ、前記映像符号化データ切替え信号がノンアクティブモードになったとき、前記映像ダミーデータを選択することを特徴とする請求項１０記載の符号化データ出力方法。
【発明の詳細な説明】
【技術分野】
【０００１】
この発明は、ビデオエンコーダ装置及び該ビデオエンコーダ装置に用いられる符号化データ出力方法に係り、特に、映像信号や音声信号が非入力状態で収録が開始され、その後、入力される場合や、収録開始時には入力があり、その後、非入力状態となる場合に用いて好適なビデオエンコーダ装置及び該ビデオエンコーダ装置に用いられる符号化データ出力方法に関する。
【背景技術】
【０００２】
ビデオサーバ装置などに内蔵されているビデオエンコーダボードなどのビデオエンコーダ装置では、映像・音声信号の非入力状態で収録が開始され、その後、映像・音声信号が入力されることがある。また、逆に、収録開始時には映像・音声信号が入力されるが、途中で非入力状態になることもある。映像信号や音声信号が非入力状態のとき、その符号化データにはエラーが発生するため、同信号の入力の有無によらず収録を安定して継続及び完了することが困難となる。このため、入力信号の有無によらず安定的な符号化データを出力するビデオエンコーダ装置が要求されている。
【０００３】
この種のビデオエンコーダ装置は、たとえば図６に示すものがある。
このビデオエンコーダ装置１０は、映像入力部１１と、映像ＦＳ（フレームシンクロナイザ）部１２と、映像符号化部１３と、音声入力部１４と、音声ＦＳ部１５と、音声符号化部１６と、リファレンス信号同期分離部１７と、多重化部１８とから構成されている。
このビデオエンコーダ装置１０では、入力同期信号ｓｃがリファレンス信号同期分離部１７に入力され、同リファレンス信号同期分離部１７からＲＥＦ（リファレンス）映像クロックｖｒ及びＲＥＦ音声クロックａｒが出力される。入力映像信号ｖｉが映像入力部１１に入力され、同映像入力部１１から映像信号ｖｆ及び映像信号クロックｖｃが出力される。映像信号ｖｆ及び映像信号クロックｖｃは映像ＦＳ部１２に入力され、同映像ＦＳ部１２からＲＥＦ映像クロックｖｒに同期して映像データｖｇが出力される。映像データｖｇは映像符号化部１３に入力され、同映像符号化部１３から映像符号化出力データｖｄが出力される。
【０００４】
一方、入力音声信号ａｉが音声入力部１４に入力され、同音声入力部１４から音声信号ａｆ及び音声信号クロックａｃが出力される。音声信号ａｆ及び音声信号クロックａｃは音声ＦＳ部１５に入力され、同音声ＦＳ部１５からＲＥＦ音声クロックａｒに同期して音声データａｇが出力される。音声データａｇは音声符号化部１６に入力され、同音声符号化部１６から音声符号化出力データａｄが出力される。映像符号化出力データｖｄと音声符号化出力データａｄとが多重化部１８で多重化され、同多重化部１８から符号化データｍｄが出力される。
【０００５】
上記のビデオエンコーダ装置の他、この種の関連技術としては、たとえば、特許文献１に記載された光ディスク記録再生装置がある。
この光ディスク記録再生装置では、入力映像信号がなくなった場合、信号有無判定手段により、入力映像信号がないと判定され、これに応答して、スイッチ手段はフラッシュメモリの出力側に切替えられる。そして、フラッシュメモリからの固定映像データがＭＰＥＧ２エンコーダに送られ、同ＭＰＥＧ２エンコーダから出力された圧縮固定映像データが光ディスクに記録される。
【先行技術文献】
【特許文献】
【０００６】
【特許文献１】特開２００６−０９９８２３号公報
【発明の概要】
【発明が解決しようとする課題】
【０００７】
しかしながら、上記関連技術では、次のような課題があった。
すなわち、図６のビデオエンコーダ装置１０では、映像符号化部１３及び音声符号化部１６の前段に映像ＦＳ部１２及び音声ＦＳ部１５が設けられ、映像符号化出力データｖｄ及び音声符号化出力データａｄが安定的に出力されるが、映像ＦＳ部１２の入力側の映像信号ｖｆと入力同期信号ｓｃとが同期していないとき、映像のスキップやリピートが発生する。このため、ビデオエンコーダ装置１０は、映像スキップやリピートの発生を許容できない装置には使用することができないという問題点がある。
【０００８】
また、特許文献１に記載された光ディスク記録再生装置では、光ディスクへの記録時において、入力映像信号がない場合は、ノイズ画が記録されず、固定映像が記録されるが、この発明とはハード構成が異なる。
【０００９】
この発明は、上述の事情に鑑みてなされたもので、入力映像信号の有無に関わらず安定的に符号化データを出力するビデオエンコーダ装置を及び該ビデオエンコーダ装置に用いられる符号化データ出力方法を提供することを目的としている。
【課題を解決するための手段】
【００１０】
上記課題を解決するために、この発明の第１の構成は、入力映像信号を所定の映像符号化モードに基づいて符号化して映像符号化データを出力する映像符号化手段を有するビデオエンコーダ装置に係り、映像ダミーデータ発生手段と、前記入力映像信号があるとき、前記映像符号化手段から出力される前記映像符号化データを選択する一方、前記入力映像信号がないとき、前記映像ダミーデータ発生手段から発生した映像ダミーデータを選択して映像符号化出力データとして出力する符号化データ出力手段とが設けられていることを特徴としている。
【００１１】
この発明の第２の構成は、入力映像信号を所定の映像符号化モードに基づいて符号化して映像符号化データを出力する映像符号化手段を有するビデオエンコーダ装置に用いられる符号化データ出力方法に係り、映像ダミーデータ発生手段を設けておき、符号化データ出力手段が、前記入力映像信号があるとき、前記映像符号化手段から出力される前記映像符号化データを選択する一方、前記入力映像信号がないとき、前記映像ダミーデータ発生手段から発生した映像ダミーデータを選択して映像符号化出力データとして出力することを特徴としている。
【発明の効果】
【００１２】
この発明の構成によれば、入力映像信号の有無によらず収録動作をエラーなく円滑に安定して行うことができる。
【図面の簡単な説明】
【００１３】
【図１】この発明の第１の実施形態であるビデオエンコーダ装置の要部の電気的構成を示すブロック図である。
【図２】図１中の信号切り替え制御部３０の要部の電気的構成を示すブロック図である。
【図３】図２の信号切り替え制御部３０の動作を説明するタイムチャートである。
【図４】図２の信号切り替え制御部３０の動作を説明するタイムチャートである。
【図５】この発明の第２の実施形態であるビデオエンコーダ装置の要部の電気的構成を示すブロック図である。
【図６】関連するビデオエンコーダ装置の構成図である。
【発明を実施するための形態】
【００１４】
入力音声信号を所定の音声符号化モードに基づいて符号化して音声符号化データを出力する音声符号化手段と、音声ダミーデータ発生手段とが設けられ、上記符号化データ出力手段は、上記入力映像信号があるとき、上記音声符号化手段から出力される上記音声符号化データを選択する一方、上記入力映像信号がないとき、上記音声ダミーデータ発生手段から発生した音声ダミーデータを選択して音声符号化出力データとして出力する構成とされているビデオエンコーダ装置を提供する。
【００１５】
また、この発明の好適な形態では、上記符号化データ出力手段は、上記入力映像信号があるとき、アクティブモードの映像符号化データ切替え信号を出力する一方、上記入力映像信号がないとき、ノンアクティブモードの映像符号化データ切替え信号を出力する信号切替え制御手段と、上記映像符号化データ切替え信号がアクティブモードのとき、上記映像符号化データを選択する一方、ノンアクティブモードのとき、上記映像ダミーデータを選択する映像信号選択手段とから構成されている。
また、上記信号切替え制御手段は、上記入力映像信号があるとき、アクティブモードの音声符号化データ切替え信号を出力する一方、上記入力映像信号がないとき、ノンアクティブモードの音声符号化データ切替え信号を出力する構成とされ、上記音声符号化データ切替え信号がアクティブモードのとき、上記音声符号化データを選択する一方、上記映像符号化データ切替え信号がノンアクティブモードのとき、上記音声ダミーデータを選択する音声信号選択手段が設けられている。
【００１６】
また、ビデオエンコーダ装置は、上記入力映像信号から映像信号及び映像信号クロックを抽出する映像入力部と、与えられた入力同期信号に基づいて、上記入力映像信号の各フレームに対応したリファレンスフレーム同期信号を発生するリファレンス信号同期分離部とを備え、上記信号切替え制御手段は、上記映像入力部で抽出された上記映像信号及び映像信号クロックに基づいて、入力映像フレーム同期信号を分離すると共に、設定されている映像フォーマットに上記映像信号が一致するか否かを検出することにより、映像信号有無フラグを出力する映像同期フォーマット検出部と、上記映像信号有無フラグが映像信号有りを示すとき、上記リファレンスフレーム同期信号をフレーム同期信号として出力する一方、上記映像信号有無フラグが映像信号無しを示すとき、入力映像フレーム同期信号を上記フレーム同期信号として出力する同期信号切替え部と、該同期信号切替え部から出力される上記フレーム同期信号に基づいて、上記映像信号有無フラグを、設定されているフレーム期間経過後に上記映像符号化データ切替え信号として出力する映像符号化遅延部とを備えている。
【００１７】
また、上記信号切替え制御手段は、上記同期信号切替え部から出力される上記フレーム同期信号に基づいて、上記映像信号有無フラグを、設定されているフレーム期間経過後に上記音声符号化データ切替え信号として出力する音声符号化遅延部が設けられている。
また、上記映像信号選択手段は、上記映像符号化手段から出力される上記映像符号化データの１フレーム分の符号化データの終点を検出し、かつ、上記映像符号化データ切替え信号がノンアクティブモードになったとき、上記映像ダミーデータを選択する構成とされている。
【実施形態１】
【００１８】
図１は、この発明の第１の実施形態であるビデオエンコーダ装置の要部の電気的構成を示すブロック図である。
この形態のビデオエンコーダ装置２０は、たとえばディジタルビデオサーバに内蔵され、同図に示すように、映像入力部２１と、映像符号化部２２と、映像ダミー信号発生部２３と、信号切替え部２４と、音声入力部２５と、音声符号化部２６と、音声ダミー信号発生部２７と、信号切替え部２８と、リファレンス信号同期分離部２９と、信号切替え制御部３０と、多重化部３１とから構成されている。映像入力部２１は、インタフェースとして構成され、入力映像信号ｖｉから映像信号ｖｆ及び映像信号クロックｖｃを抽出する。映像符号化部２２は、映像信号ｖｆを所定の映像符号化モードに基づいて符号化して映像符号化データｖｄを出力する。この映像符号化モードは、たとえば、ＭＰＥＧ２のＩ−ＯＮＬＹに設定されている。映像ダミー信号発生部２３は、映像ダミーデータｖｎを発生する。この映像ダミーデータｖｎは、再生時に、たとえば黒色となるデータである。
【００１９】
音声入力部２５は、インタフェースとして構成され、入力音声信号ａｉを音声信号ａｆとして出力する。音声符号化部２６は、音声信号ａｆを所定の音声符号化モードに基づいて符号化して音声符号化データａｄを出力する。この音声符号化モードは、たとえば、ＬＰＣＭ（Linear Pulse Code Modulation）に設定されている。音声ダミー信号発生部２７は、音声ダミーデータａｎを発生する。この音声ダミーデータａｎは、再生時に、たとえばレベル“０”の無音となるデータである。リファレンス信号同期分離部２９は、入力同期信号ｓｃに基づいて、入力映像信号ｖｉの各フレームに対応したＲＥＦ（リファレンス）フレーム同期信号ｍｒを発生する。信号切替え制御部３０は、収録開始信号ｓｔによる動作開始後、映像信号ｖｆがあるとき、アクティブモードの映像符号化データ切替え信号ｖｓを出力する一方、同映像信号ｖｆがないとき、ノンアクティブモードの映像符号化データ切替え信号ｖｓを出力する。また、信号切替え制御部３０は、収録開始信号ｓｔによる動作開始後、映像信号ｖｆがあるとき、アクティブモードの音声符号化データ切替え信号ａｓを出力する一方、同映像信号ｖｆがないとき、ノンアクティブモードの音声符号化データ切替え信号ａｓを出力する。
【００２０】
信号切替え部２４は、映像符号化データ切替え信号ｖｓがアクティブモードのとき、映像符号化データｖｄを選択する一方、同映像符号化データ切替え信号ｖｓがノンアクティブモードのとき、映像ダミーデータｖｎを選択して映像符号化出力データｖｅとして出力する。信号切替え部２８は、音声符号化データ切替え信号ａｓがアクティブモードのとき、音声符号化データａｄを選択する一方、同映像符号化データ切替え信号ａｓがノンアクティブモードのとき、音声ダミーデータａｎを選択して音声符号化出力データａｅとして出力する。多重化部３１は、映像符号化出力データｖｅと音声符号化出力データａｅとを多重化して符号化データｍｄを出力する。上記信号切替え部２４、信号切替え部２８及び信号切替え制御部３０で、符号化データ出力手段が構成されている。
【００２１】
図２は、図１中の信号切替え制御部３０の要部の電気的構成を示すブロック図である。
この信号切替え制御部３０は、同図２に示すように、映像同期フォーマット検出部４１と、映像符号化遅延部４２と、音声符号化遅延部４３と、同期信号切替え部４４とから構成されている。映像同期フォーマット検出部４１は、映像入力部２１で抽出された映像信号ｖｆ及び映像信号クロックｖｃに基づいて、入力映像フレーム同期信号ｉｓを分離すると共に、設定されている映像フォーマットに映像信号ｖｆが一致するか否かを検出することにより、映像信号ｖｆの有無を示す映像信号有無フラグｖｑを出力する。同期信号切替え部４４は、映像信号有無フラグｖｑが映像信号有りを示すとき、ＲＥＦフレーム同期信号ｍｒをフレーム同期信号ｓｑとして出力する一方、同映像信号有無フラグｖｑが映像信号無しを示すとき、入力映像フレーム同期信号ｉｓを同フレーム同期信号ｓｑとして出力する。映像符号化遅延部４２は、収録開始信号ｓｔによる動作開始後、映像信号有無フラグｖｑを、映像フレーム同期信号ｓｑに基づいて、設定されているフレーム期間経過後に映像符号化データ切替え信号ｖｓとして出力する。音声符号化遅延部４３は、収録開始信号ｓｔによる動作開始後、映像信号有無フラグｖｑを、映像フレーム同期信号ｓｑに基づいて、設定されているフレーム期間経過後に音声符号化データ切替え信号ａｓとして出力する。
【００２２】
図３及び図４は、図２の信号切替え制御部３０の動作を説明するタイムチャートである。
これらの図を参照して、この形態のビデオエンコーダ装置に用いられる符号化データ出力方法の処理内容について説明する。
このビデオエンコーダ装置では、信号切替え部２４、信号切替え部２８及び信号切替え制御部３０で構成される符号化データ出力手段により、映像信号ｖｆがあるとき、映像符号化部２２から出力される映像符号化データｖｄが選択される一方、同映像信号ｖｆがないとき、映像ダミー信号発生部２３から発生した映像ダミーデータｖｎが選択されて映像符号化出力データｖｅとして出力される。また、映像信号ｖｆがあるとき、音声符号化部２６から出力される音声符号化データａｄが選択される一方、同映像信号ｖｆがないとき、音声ダミー信号発生部２７から発生した音声ダミーデータａｎが選択されて音声符号化出力データａｅとして出力される。
【００２３】
この場合、信号切替え制御部３０により、映像信号ｖｆがあるとき、アクティブモードの映像符号化データ切替え信号ｖｓ及び音声符号化データ切替え信号ａｓが出力される一方、同映像信号ｖｆがないとき、ノンアクティブモードの映像符号化データ切替え信号ｖｓ及び音声符号化データ切替え信号ａｓが出力される。そして、信号切替え部２４により、映像符号化データ切替え信号ｖｓがアクティブモードのとき、映像符号化データｖｄが選択される一方、映像符号化データ切替え信号ｖｓがノンアクティブモードのとき、映像ダミーデータｖｎが選択される。また、信号切替え部２８により、音声符号化データ切替え信号ａｓがアクティブモードのとき、音声符号化データａｄが選択される一方、映像符号化データ切替え信号ａｓがノンアクティブモードのとき、音声ダミーデータａｎが選択される。
【００２４】
すなわち、信号切替え制御部３０では、映像同期フォーマット検出部４１により、映像入力部２１で抽出された映像信号ｖｆ及び映像信号クロックｖｃに基づいて、入力映像フレーム同期信号ｉｓが分離されると共に、設定されている映像フォーマットに映像信号ｖｆが一致するか否かが検出されることにより、映像信号の有無を示す映像信号有無フラグｖｑが出力される（映像信号有無フラグ出力処理）。同期信号切替え部４４により、映像信号有無フラグｖｑが映像信号有りを示すとき、ＲＥＦフレーム同期信号ｍｒが選択されてフレーム同期信号ｓｑとして出力される一方、同映像信号有無フラグｖｑが映像信号無しを示すとき、入力映像フレーム同期信号ｉｓが選択されて同フレーム同期信号ｓｑとして出力される（同期信号切替え処理）。映像符号化遅延部４２により、映像信号有無フラグｖｑが、フレーム同期信号ｓｑに基づいて、設定されているフレーム期間経過後に映像符号化データ切替え信号ｖｓとして出力される（映像符号化データ切替え信号出力処理）。また、音声符号化遅延部４３により、映像信号有無フラグｖｑが、フレーム同期信号ｓｑに基づいて、設定されているフレーム期間経過後に音声符号化データ切替え信号ａｓとして出力される（音声符号化データ切替え信号出力処理）。
【００２５】
たとえば、収録開始時に入力映像信号ｖｉが非入力で、その後に入力される場合、図３に示すように、収録開始信号ｓｔがアクティブモード（高レベル）になり、ＲＥＦフレーム同期信号ｍｒのたとえば７フレーム後（７ＦＲ遅延）、映像ダミーデータｖｎ及び音声ダミーデータａｎが映像符号化出力データｖｅ及び音声符号化出力データａｅとして出力される。その後、入力映像信号ｖｉが入力され、映像信号有無フラグｖｑが映像信号有り（高レベル）を示したとき、入力映像フレーム同期信号ｉｓのたとえば７フレーム後（７ＦＲ遅延）、映像符号化データ切替え信号ｖｓ及び音声符号化データ切替え信号ａｓがアクティブモード（高レベル）になり、映像符号化データｖｄ及び音声符号化データａｄが映像符号化出力データｖｅ及び音声符号化出力データａｅとして出力される。
【００２６】
また、収録開始時に入力映像信号ｖｉが入力され、その後に非入力になった場合、図４に示すように、収録開始信号ｓｔがアクティブモード（高レベル）になり、入力映像フレーム同期信号ｉｓのたとえば７フレーム後（７ＦＲ遅延）、映像符号化データｖｄ及び音声符号化データａｄが映像符号化出力データｖｅ及び音声符号化出力データａｅとして出力される。その後、入力映像信号ｖｉが非入力となり、映像信号有無フラグｖｑが映像信号無し（低レベル）を示したとき、ＲＥＦフレーム同期信号ｍｒのたとえば７フレーム（７ＦＲ遅延）後、映像符号化データ切替え信号ｖｓ及び音声符号化データ切替え信号ａｓがノンアクティブモード（低レベル）になり、映像ダミーデータｖｎ及び音声ダミーデータａｎが映像符号化出力データｖｅ及び音声符号化出力データａｅとして出力される。この処理により、入力映像信号ｖｉの有無によらず収録動作が完結する。
【００２７】
以上のように、この第１の実施形態では、映像信号ｖｆがあるとき、映像符号化部２２から出力される映像符号化データｖｄが選択される一方、同映像信号ｖｆがないとき、映像ダミー信号発生部２３から発生した映像ダミーデータｖｎが選択されて映像符号化出力データｖｅとして出力され、また、映像信号ｖｆがあるとき、音声符号化部２６から出力される音声符号化データａｄが選択される一方、同映像信号ｖｆがないとき、音声ダミー信号発生部２７から発生した音声ダミーデータａｎが選択されて音声符号化出力データａｅとして出力されるので、入力映像信号ｖｉの有無によらず収録動作が円滑に行われる。
【実施形態２】
【００２８】
図５は、この発明の第２の実施形態であるビデオエンコーダ装置の要部の電気的構成を示すブロック図である。
この形態のビデオエンコーダ装置２０Ａでは、同図５に示すように、図１中の信号切替え部２４に代えて、異なる機能を有する映像符号化データ切替え部２４Ａが設けられている。映像符号化データ切替え部２４Ａは、映像符号化部２２から出力される映像符号化データｖｄの１フレーム分の符号化データの終点を検出し、この終点が検出されると共に映像符号化データ切替え信号ｖｓがノンアクティブモードになったとき、映像ダミーデータｖｎを選択して映像符号化出力データｖｅとして出力する。
【００２９】
特に、この実施形態では、映像符号化部２２による符号化方法として、たとえば、ＭＰＧＥ２のＬＯＮＧ−ＧＯＰやＨ．２６４に基づく符号化方法が用いられる。この場合、１フレーム期間に映像符号化部２２から出力される映像符号化データｖｄの出力量が１フレーム期間で大きく変化するため、映像符号化データ切替え部２４Ａにより、映像符号化データｖｄがモニタされ、１フレーム分の符号化データの終点が検出され、この終点と映像符号化データ切替え信号ｖｓとの論理積がとられる。そして、終点が検出され、かつ映像符号化データ切替え信号ｖｓがノンアクティブモードになったとき、映像ダミーデータｖｎが選択されて映像符号化出力データｖｅとして出力される。
【００３０】
以上のように、この第２の実施形態では、映像符号化データ切替え部２４Ａが設けられているので、第１の実施形態の利点に加え、映像符号化部２２でＭＰＧＥ２のＬＯＮＧ−ＧＯＰやＨ．２６４に基づく符号化方法が用いられる場合でも、収録動作が円滑に行われる。
【００３１】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、映像ダミーデータｖｎは、再生時に黒色となるデータに限定されない。また、音声ダミーデータａｎは、再生時に無音となるデータに限定されない。また、図２中の同期信号切替え部４４を省略し、ＲＥＦフレーム同期信号ｍｒをフレーム同期信号ｓｑとして用いても、上記各実施形態とほぼ同様の作用、効果が得られる。
【産業上の利用可能性】
【００３２】
この発明は、ビデオエンコーダ装置全般に適用でき、特に、映像信号や音声信号が非入力状態で収録が開始され、その後、入力される場合や、収録開始時には入力があり、その後、非入力状態となる場合に用いて有効である。
【符号の説明】
【００３３】
２０，２０Ａ      ビデオエンコーダ装置
２１      映像入力部（ビデオエンコーダ装置の一部）
２２      映像符号化部（映像符号化手段）
２３      映像ダミー信号発生部（映像ダミーデータ発生手段）
２４      信号切替え部（符号化データ出力手段の一部、映像信号選択手段）
２４Ａ      映像符号化データ切替え部
２５      音声入力部（ビデオエンコーダ装置の一部）
２６      音声符号化部（音声符号化手段）
２７      音声ダミー信号発生部（音声ダミーデータ発生手段）
２８      信号切替え部（符号化データ出力手段の一部、音声信号選択手段）
２９      リファレンス信号同期分離部（ビデオエンコーダ装置の一部）
３０      信号切替え制御部（符号化データ出力手段の一部、信号切替え制御手段）
３１      多重化部（ビデオエンコーダ装置の一部）
４１      映像同期フォーマット検出部（信号切替え制御部の一部）
４２      映像符号化遅延部（信号切替え制御部の一部）
４３      音声符号化遅延部（信号切替え制御部の一部）
４４      同期信号切替え部（信号切替え制御部の一部）
【図１】
2010233119.tif 000003
【図２】
2010233119.tif 000004
【図３】
2010233119.tif 000005
【図４】
2010233119.tif 000006
【図５】
2010233119.tif 000007
【図６】
2010233119.tif 000008